(57)【要約】【課題】患者に処置される診療行為すべてを正確に把握できなくても、診療全体にかかる費用、診療期間および診療回数を的確に見積もって患者に提示することができる診療費見積もりシステム、診療費見積もり方法、および診療費見積もりプログラムを提供する。【解決手段】  診療費見積もりシステム１は、診療データ記憶部１１、マスタデータ記憶部１２、集計指示部１３、集計部１４、見積もりデータ記憶部１５、検索指示部１６、検索部１７、および検索表示部１８を備えており、過去に蓄積された診療データの統計的処理から、患者の指示した診療部位および病名に応じた診療費、診療期間および診療回数を見積もりし、患者に提供するようになっている。【選択図】    図１
2005202686.tif 000002
【特許請求の範囲】
【請求項１】
所定の診療に対して患者が診療機関に支払う診療費を見積もる診療費見積もりシステムであって、
患者ごとに少なくとも診療日時、診療部位、病名および診療行為に関する情報を備える診療データを記憶している診療データ記憶手段と、
各診療行為に関する保険点数又は自費金額をマスタデータとして記憶しているマスタデータ記憶手段と、
前記診療データを患者単位に診療部位、病名および診療行為ごとに診療回数、診療期間および診療費を前記マスタデータを用いて計算することにより、すべての患者における診療部位、病名および診療行為ごとの診療回数、診療期間および診療費それぞれの最大、最小および平均を集計し、該集計データを見積もりデータとする集計手段と、
前記見積もりデータを記憶する見積もりデータ記憶手段と、
見積もり要求者からの少なくとも診療部位および病名を指示する検索指示に従って前記見積もりデータ記憶手段から該当する見積もりデータを検索する検索手段と、
前記検索手段で検索された見積もりデータを表示する見積もり表示手段と、
を有することを特徴とする診療費見積もりシステム。
【請求項２】
前記診療行為に関する情報は、さらに診療方針、特殊治療、および治癒に関する情報に分類され、前記集計手段は、この分類された項目ごとに集計することを特徴とする請求項１記載の診療費見積もりシステム。
【請求項３】
前記集計手段は、前記診療データを患者単位に診療部位、病名、診療行為、および診療科又は医師ごとに診療回数、診療期間および診療費を計算することにより、すべての患者における診療部位、病名、診療行為、および診療科又は医師ごとの診療回数、診療期間および診療費それぞれの最大、最小および平均を集計し、
前記検索手段は、見積もり要求者からの少なくとも診療部位、病名、および診療科又は医師を指示する検索指示に従って前記見積もりデータ記憶手段から該当する見積もりデータを検索することを特徴とする請求項１又は２記載の診療費見積もりシステム。
【請求項４】
前記集計手段は、さらに患者の年齢又は性別を加味して年齢又は性別ごとに集計し、前記検索手段は、さらに患者の年齢又は性別を加味して検索することを特徴とする請求項１乃至３のいずれか１項に記載の診療費見積もりシステム。
【請求項５】
前記マスタデータ記憶手段は、前記マスタデータを年月ごとに管理しており、前記集計手段は、指示された年月の前記マスタデータを用いて集計することを特徴とする請求項１乃至４のいずれか１項に記載の診療費見積もりシステム。
【請求項６】
所定の診療に対して患者が診療機関に支払う診療費を見積もる診療費見積もり方法であって、
患者ごとに少なくとも診療日時、診療部位、病名および診療行為に関する情報を備える診療データを記憶する診療データ記憶手段と、各診療行為に関する保険点数又は自費金額をマスタデータとして記憶するマスタデータ記憶手段と、備えるコンピュータが
前記診療データを患者単位に診療部位、病名および診療行為ごとに診療回数、診療期間および診療費を前記マスタデータを用いて計算することにより、すべての患者における診療部位、病名および診療行為ごとの診療回数、診療期間および診療費それぞれの最大、最小および平均を集計し、該集計データを見積もりデータとする集計ステップと、
前記見積もりデータを見積もりデータ記憶手段に記憶する見積もりデータ記憶ステップと、
見積もり要求者からの少なくとも診療部位および病名を指示する検索指示に従って前記見積もりデータ記憶手段から該当する見積もりデータを検索する検索ステップと、
前記検索ステップで検索された見積もりデータを表示する見積もり表示ステップと、
を実行することを特徴とする診療費見積もり方法。
【請求項７】
前記診療行為に関する情報は、さらに診療方針、特殊治療、および治癒に関する情報に分類され、前記集計ステップは、この分類された項目ごとに集計することを特徴とする請求項６記載の診療費見積もり方法。
【請求項８】
前記集計ステップは、前記診療データを患者単位に診療部位、病名、診療行為、および診療科又は医師ごとに診療回数、診療期間および診療費を計算することにより、すべての患者における診療部位、病名、診療行為、および診療科又は医師ごとの診療回数、診療期間および診療費それぞれの最大、最小および平均を集計し、
前記検索ステップは、見積もり要求者からの少なくとも診療部位、病名、および診療科又は医師を指示する検索指示に従って前記見積もりデータ記憶手段から該当する見積もりデータを検索することを特徴とする請求項６又は７記載の診療費見積もり方法。
【請求項９】
前記集計ステップは、さらに患者の年齢又は性別を加味して年齢又は性別ごとに集計し、前記検索ステップは、さらに患者の年齢又は性別を加味して検索することを特徴とする請求項６乃至８のいずれか１項に記載の診療費見積もり方法。
【請求項１０】
前記マスタデータ記憶手段は、前記マスタデータを年月ごとに管理しており、前記集計ステップは、指示された年月の前記マスタデータを用いて集計することを特徴とする請求項６乃至９のいずれか１項に記載の診療費見積もり方法。
【請求項１１】
所定の診療に対して患者が診療機関に支払う診療費を見積もる診療費見積もりプログラムであって、
患者ごとに少なくとも診療日時、診療部位、病名および診療行為に関する情報を備える診療データを記憶する診療データ記憶手段と、各診療行為に関する保険点数又は自費金額をマスタデータとして記憶するマスタデータ記憶手段と、備えるコンピュータに、
前記診療データを患者単位に診療部位、病名および診療行為ごとに診療回数、診療期間および診療費を前記マスタデータを用いて計算することにより、すべての患者における診療部位、病名および診療行為ごとの診療回数、診療期間および診療費それぞれの最大、最小および平均を集計し、該集計データを見積もりデータとする集計ステップと、
前記見積もりデータを見積もりデータ記憶手段に記憶する見積もりデータ記憶ステップと、
見積もり要求者からの少なくとも診療部位および病名を指示する検索指示に従って前記見積もりデータ記憶手段から該当する見積もりデータを検索する検索ステップと、
前記検索ステップで検索された見積もりデータを表示する見積もり表示ステップと、
を実行させることを特徴とする診療費見積もりプログラム。
【請求項１２】
前記診療行為に関する情報は、さらに診療方針、特殊治療、および治癒に関する情報に分類され、前記集計ステップは、この分類された項目ごとに集計することを特徴とする請求項１１記載の診療費見積もりプログラム。
【請求項１３】
前記集計ステップは、前記診療データを患者単位に診療部位、病名、診療行為、および診療科又は医師ごとに診療回数、診療期間および診療費を計算することにより、すべての患者における診療部位、病名、診療行為、および診療科又は医師ごとの診療回数、診療期間および診療費それぞれの最大、最小および平均を集計し、
前記検索ステップは、見積もり要求者からの少なくとも診療部位、病名、および診療科又は医師を指示する検索指示に従って前記見積もりデータ記憶手段から該当する見積もりデータを検索することを特徴とする請求項１１又は１２記載の診療費見積もりプログラム。
【請求項１４】
前記集計ステップは、さらに患者の年齢又は性別を加味して年齢又は性別ごとに集計し、前記検索ステップは、さらに患者の年齢又は性別を加味して検索することを特徴とする請求項１１乃至１３のいずれか１項に記載の診療費見積もりプログラム。
【請求項１５】
前記マスタデータ記憶手段は、前記マスタデータを年月ごとに管理しており、前記集計ステップは、指示された年月の前記マスタデータを用いて集計することを特徴とする請求項１１乃至１４のいずれか１項に記載の診療費見積もりプログラム。
【発明の詳細な説明】
【技術分野】
【０００１】
本発明は、診療費を見積もって患者に提供する診療費見積もりシステム、診療費見積もり方法、および診療費見積もりプログラムに関する。
【背景技術】
【０００２】
従来から病院において、患者に対して投薬、診察、検査等を実施したときの費用を請求する場合には、予め定められている薬価基準や診療報酬基準に従ってその請求金額を算出する。具体的には、投薬に関しては、各薬ごとに料金に対応する点数表が定められている。同様に、診察や検査に関しても、各診察行為および各検査項目ごとに各点数が定められている。そして、各患者に対する請求金額を各点数表を用いて予め定められた算出方法で算出する。従って、患者に請求する請求金額を実際に患者が会計する前であっても、上述した算出方法で計算し、見積もり額として患者に提示することは可能である。
【０００３】
尚、この出願に関連する先行技術文献情報としては、次のものがある。
【特許文献１】特開２００３−２８１２６７号公報
【発明の開示】
【発明が解決しようとする課題】
【０００４】
しかしながら、従来の診療点数表に基づいて診療費の見積もりを算出する方法においては、すべての診察、検査、投薬などの処置が終わらないと、もしくは患者に対して処置される診療行為をすべて把握できないと、診療費を正確に算出することができないという課題がある。即ち、これから診療を受けようとする患者および診療中の患者が、自らに対してなされる診療行為全体を把握できない場合には、全体としてどれくらいの診療費がかかるのかわからないという課題がある。
【０００５】
また、患者にとっては、費用だけでなく、治癒するまでにどれくらいの診療期間および診療回数が必要であるかということも知りたい情報の１つであるが、上述した方法においては、どれくらいの診療期間および診療回数がかかるのかわからないという課題がある。
【０００６】
本発明は、上記の課題を解決するためになされたものであり、患者に処置される診療行為すべてを正確に把握できなくても、診療全体にかかる費用、診療期間および診療回数を的確に見積もって患者に提示することができる診療費見積もりシステム、診療費見積もり方法、および診療費見積もりプログラムを提供することを目的とする。
【課題を解決するための手段】
【０００７】
上記目的を達成するため、請求項１記載の本発明は、所定の診療に対して患者が診療機関に支払う診療費を見積もる診療費見積もりシステムであって、患者ごとに少なくとも診療日時、診療部位、病名および診療行為に関する情報を備える診療データを記憶している診療データ記憶手段と、各診療行為に関する保険点数又は自費金額をマスタデータとして記憶しているマスタデータ記憶手段と、前記診療データを患者単位に診療部位、病名および診療行為ごとに診療回数、診療期間および診療費を前記マスタデータを用いて計算することにより、すべての患者における診療部位、病名および診療行為ごとの診療回数、診療期間および診療費それぞれの最大、最小および平均を集計し、該集計データを見積もりデータとする集計手段と、前記見積もりデータを記憶する見積もりデータ記憶手段と、見積もり要求者からの少なくとも診療部位および病名を指示する検索指示に従って前記見積もりデータ記憶手段から該当する見積もりデータを検索する検索手段と、前記検索手段で検索された見積もりデータを表示する見積もり表示手段と、を有することを要旨とする。
【０００８】
請求項２記載の本発明は、請求項１記載の発明において、前記診療行為に関する情報は、さらに診療方針、特殊治療、および治癒に関する情報に分類され、前記集計手段は、この分類された項目ごとに集計することを要旨とする。
【０００９】
請求項３記載の本発明は、請求項１又は２記載の発明において、前記集計手段は、前記診療データを患者単位に診療部位、病名、診療行為、および診療科又は医師ごとに診療回数、診療期間および診療費を計算することにより、すべての患者における診療部位、病名、診療行為、および診療科又は医師ごとの診療回数、診療期間および診療費それぞれの最大、最小および平均を集計し、前記検索手段は、見積もり要求者からの少なくとも診療部位、病名、および診療科又は医師を指示する検索指示に従って前記見積もりデータ記憶手段から該当する見積もりデータを検索することを要旨とする。
【００１０】
請求項４記載の本発明は、請求項１乃至３のいずれか１項に記載の発明において、前記集計手段は、さらに患者の年齢又は性別を加味して年齢又は性別ごとに集計し、前記検索手段は、さらに患者の年齢又は性別を加味して検索することを要旨とする。
【００１１】
請求項５記載の本発明は、請求項１乃至４のいずれか１項に記載の発明において、前記マスタデータ記憶手段は、前記マスタデータを年月ごとに管理しており、前記集計手段は、指示された年月の前記マスタデータを用いて集計することを要旨とする。
【００１２】
請求項６記載の本発明は、所定の診療に対して患者が診療機関に支払う診療費を見積もる診療費見積もり方法であって、患者ごとに少なくとも診療日時、診療部位、病名および診療行為に関する情報を備える診療データを記憶する診療データ記憶手段と、各診療行為に関する保険点数又は自費金額をマスタデータとして記憶するマスタデータ記憶手段と、備えるコンピュータが、前記診療データを患者単位に診療部位、病名および診療行為ごとに診療回数、診療期間および診療費を前記マスタデータを用いて計算することにより、すべての患者における診療部位、病名および診療行為ごとの診療回数、診療期間および診療費それぞれの最大、最小および平均を集計し、該集計データを見積もりデータとする集計ステップと、前記見積もりデータを見積もりデータ記憶手段に記憶する見積もりデータ記憶ステップと、見積もり要求者からの少なくとも診療部位および病名を指示する検索指示に従って前記見積もりデータ記憶手段から該当する見積もりデータを検索する検索ステップと、前記検索ステップで検索された見積もりデータを表示する見積もり表示ステップと、
を実行することを要旨とする。
【００１３】
請求項７記載の本発明は、請求項６記載の発明において、前記診療行為に関する情報は、さらに診療方針、特殊治療、および治癒に関する情報に分類され、前記集計ステップは、この分類された項目ごとに集計することを要旨とする。
【００１４】
請求項８記載の本発明は、請求項６又は７記載の発明において、前記集計ステップは、前記診療データを患者単位に診療部位、病名、診療行為、および診療科又は医師ごとに診療回数、診療期間および診療費を計算することにより、すべての患者における診療部位、病名、診療行為、および診療科又は医師ごとの診療回数、診療期間および診療費それぞれの最大、最小および平均を集計し、前記検索ステップは、見積もり要求者からの少なくとも診療部位、病名、および診療科又は医師を指示する検索指示に従って前記見積もりデータ記憶手段から該当する見積もりデータを検索することを要旨とする。
【００１５】
請求項９記載の本発明は、請求項６乃至８のいずれか１項に記載の発明において、前記集計ステップは、さらに患者の年齢又は性別を加味して年齢又は性別ごとに集計し、前記検索ステップは、さらに患者の年齢又は性別を加味して検索することを要旨とする。
【００１６】
請求項１０記載の本発明は、請求項６乃至９のいずれか１項に記載の発明において、前記マスタデータ記憶手段は、前記マスタデータを年月ごとに管理しており、前記集計ステップは、指示された年月の前記マスタデータを用いて集計することを要旨とする。
【００１７】
請求項１１記載の本発明は、所定の診療に対して患者が診療機関に支払う診療費を見積もる診療費見積もりプログラムであって、患者ごとに少なくとも診療日時、診療部位、病名および診療行為に関する情報を備える診療データを記憶する診療データ記憶手段と、各診療行為に関する保険点数又は自費金額をマスタデータとして記憶するマスタデータ記憶手段と、備えるコンピュータに、前記診療データを患者単位に診療部位、病名および診療行為ごとに診療回数、診療期間および診療費を前記マスタデータを用いて計算することにより、すべての患者における診療部位、病名および診療行為ごとの診療回数、診療期間および診療費それぞれの最大、最小および平均を集計し、該集計データを見積もりデータとする集計ステップと、前記見積もりデータを見積もりデータ記憶手段に記憶する見積もりデータ記憶ステップと、見積もり要求者からの少なくとも診療部位および病名を指示する検索指示に従って前記見積もりデータ記憶手段から該当する見積もりデータを検索する検索ステップと、前記検索ステップで検索された見積もりデータを表示する見積もり表示ステップと、を実行させることを要旨とする。
【００１８】
請求項１２記載の本発明は、請求項１１記載の発明において、前記診療行為に関する情報は、さらに診療方針、特殊治療、および治癒に関する情報に分類され、前記集計ステップは、この分類された項目ごとに集計することを要旨とする。
【００１９】
請求項１３記載の本発明は、請求項１１又は１２記載の発明において、前記集計ステップは、前記診療データを患者単位に診療部位、病名、診療行為、および診療科又は医師ごとに診療回数、診療期間および診療費を計算することにより、すべての患者における診療部位、病名、診療行為、および診療科又は医師ごとの診療回数、診療期間および診療費それぞれの最大、最小および平均を集計し、前記検索ステップは、見積もり要求者からの少なくとも診療部位、病名、および診療科又は医師を指示する検索指示に従って前記見積もりデータ記憶手段から該当する見積もりデータを検索することを要旨とする。
【００２０】
請求項１４記載の本発明は、請求項１１乃至１３のいずれか１項に記載の発明において、前記集計ステップは、さらに患者の年齢又は性別を加味して年齢又は性別ごとに集計し、前記検索ステップは、さらに患者の年齢又は性別を加味して検索することを要旨とする。
【００２１】
請求項１５記載の本発明は、請求項１１乃至１４のいずれか１項に記載の発明において、前記マスタデータ記憶手段は、前記マスタデータを年月ごとに管理しており、前記集計ステップは、指示された年月の前記マスタデータを用いて集計することを要旨とする。
【発明の効果】
【００２２】
本発明によれば、過去の診療データに基づいて経験的に見積もりデータを算出することができるので、患者に処置される診療行為すべてを正確に把握できなくても、診療全体にかかる費用、診療期間および診療回数を的確に見積もって患者に提示することができる。
【００２３】
これにより、患者は、診療全体にかかる費用、診療期間および診療回数を把握できるとともに、見積もられた複数の診療方法の中から自己にとって最適な診療を選択することができる。
【発明を実施するための最良の形態】
【００２４】
以下、本発明の実施の形態を図面を用いて説明する。
【００２５】
図１は、本発明の実施の形態に係る診療費見積もりシステム１の概略構成図である。図１に示す診療費見積もりシステム１は、診療データ記憶部１１、マスタデータ記憶部１２、集計指示部１３、集計部１４、見積もりデータ記憶部１５、検索指示部１６、検索部１７、および検索表示部１８を備えており、過去に蓄積された診療データの統計的処理から、患者の指示した診療部位および病名に応じた診療費、診療期間および診療回数を見積もりし、患者に提供するようになっているコンピュータシステムである。
【００２６】
尚、本実施の形態に係る診療費見積もりシステム１は、歯科診療の場合を想定して説明するが、本発明は歯科に限定されるわけではなく、あらゆる診療科目に対応できるものである。
【００２７】
診療データ記憶部１１は、例えば、電子カルテシステムなどに格納されている診療データを記憶しているものであり、少なくとも患者単位に、診療日時、診療部位、病名、診療行為、生年月日、性別、診療した医者名、診療した診療科に関する情報を備えている。図２は、このような診療データを表示している一具体例である。尚、図２に示す診療データは、表示上は日記形式（カルテ）として表示されているが、データとしては、患者ＩＤ、診療日時、診療部位、病名、診療行為、生年月日、性別、診療した医者名、診療した診療科の項目ごとにそれぞれ管理されており、例えば、１つの診療部位（かつ１つの病名）に対して複数の診療行為が行われたとしても、データとしては各診療行為ごとに分かれて管理されている。同様にして、複数の診療部位（かつ１つの病名）に対して１つの診療行為が行われたとしても、データとしては各診療部位ごとに分かれて管理されている。また、本発明においては、診療行為が、さらに診療方針、特殊治療、治癒の３項目に分類されていることが望ましいが、図２に示すようにこれらが混在している場合には、上記３項目に分類した後の診療データを対象に本発明が適用されるようになっている。
【００２８】
ここで、診療行為とは、費用が発生するものすべてを含み、診察、処置、検査、投薬など純粋なる医療行為の他、初診料や再診料なども含むものである。また、診療方針とは、診療部位に対してどのような処置を施したかを示すもので、例えば、図３（ｂ）に示すような項目を備えている。また、特殊治療とは、通常の処置とは区別されるのもので、例えば、図３（ｃ）に示すような項目を備えている。また、治癒とは、治療の最終形態を示すもので、例えば、図３（ｄ）に示すような項目を備えている。
【００２９】
マスタデータ記憶部１２は、図３（ａ）に示すように各診療行為をコード化したマスタデータで、各診療行為ごとに点数又は自費金額（保険が適用されない場合の請求金額）を備えており、また特定条件（例えば、年齢等により点数又は自費金額が異なる場合など）における点数又は自費金額も備えており、後述する診療費の計算の際に用いられるようになっている。尚、上述したように、診療行為は診療方針、特殊治療、治癒の３項目に分類されているため、マスタデータも図３（ｂ）〜（ｄ）に示すように治療方針、特殊治療、治癒の各項目に分類することができる。
【００３０】
また、マスタデータ記憶部１２は、年月をともなってマスタデータを管理するようになっている。これにより、過去および現在のマスタデータを管理することが可能となるので、保険点数等の変更が生じても、所望のマスタデータを用いて診療費を計算することができるようになっている。
【００３１】
集計指示部１３は、上述した診療データ記憶部１１に記憶された診療データの集計方法を指示するもので、例えば、図４に示すような集計指示画面から随時指示して集計するようにしてもよいし、また予め定められた集計方法により所定のタイミングでバッチ処理として行ってもよい。尚、図４に示す集計指示画面においては、集計対象となる診療データの診療年月（集計開始年月、集計終了年月）、いつ時点のマスタデータを用いるか（最新マスタ、並びに過去のマスタおよびその年月）、集計する上でのオプション機能の有無（診療科別、医師別、年齢別、男女別に集計するか否か）を指示可能となっている。
【００３２】
集計部１４は、集計指示部１３の集計指示に応じて、診療データを集計して見積もりデータを作成し、見積もりデータ記憶部１５に記憶するようになっている。ここで、この集計方法は、診療データを患者単位に診療部位、病名および診療行為ごとに診療回数、診療期間および診療費をマスタデータを用いて計算し、その結果、集計対象となるすべての患者における診療部位、病名および診療行為ごとの診療回数、診療期間および診療費それぞれの最大、最小および平均を集計し、該集計データを見積もりデータとするものである。尚、診療行為は、上述したように診療方針、特殊治療、治癒の３項目に分類されて集計されるようになっている。また、集計する上で上述したオプション機能を用いて集計した場合には、さらに細分化された見積もりデータが作成されるようになっている。
【００３３】
見積もりデータ記憶部１５は、集計指示部１３の集計指示に応じて診療データを集計したデータで、例えば、図５に示すように、診療部位、病名および診療行為（診療方針、特殊治療、治癒に分類されている）ごとの診療回数、診療期間および診療費それぞれの最大、最小および平均に関する情報を管理するようになっている。尚、図５においては費用に関しては、全費用のうち保険が適用されない自費金額を内自費として示している。
【００３４】
また、見積もりデータは、上述したオプション機能を用いて集計した場合には、図６に示すようにさらに集計が細分化されるようになる。ここで、図６（ａ）は、診療科別の集計、図６（ｂ）は、医師別の集計、図６（ｃ）は、年齢別の集計、図６（ｄ）は、男女別の集計をさらに加味して、作成された見積もりデータの具体例を示している。このように、見積もりデータ記憶部１５は、図５に示す基本となる見積もりデータの他、より細分化された見積もりデータも管理するようになっており、例えば、それぞれの見積もりデータを別テーブルとして管理するようにしてもよい。
【００３５】
検索指示部１６は、検索利用者（患者）からの検索方法を指示するもので、例えば、７に示すような検索指示画面から指示して検索するようにしてもよい。尚、図７に示す検索指示画面においては、診療部位および病名の指示（必須項目）、並びに診療科および医師の指示（オプション項目）に従って、該当する見積もりデータを検索表示するようになっている。
【００３６】
検索部１７は、検索指示部１６の検索指示に従って、見積もりデータ記憶部１５から該当する見積もりデータを取得するようになっている。
【００３７】
検索表示部１８は、検索部１７が取得した所望の見積もりデータを検索利用者（患者）に表示するもので、例えば、図７に示すような検索結果を表示するようになっている。これにより、検索利用者（患者）は、自己が指示した診療に対して、診療全体にかかる費用、診療期間および診療回数を把握できるとともに、見積もられた複数の診療方法の中から自己にとって最適な診療を選択することができるようになっている。
【００３８】
ここで、診療費見積もりシステム１は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、診療費見積もりシステム１は、主記憶装置の他、ハードディスクなどの補助記憶装置を具備していてもよい。
【００３９】
このうち、集計指示部１３、集計部１４、検索指示部１６、検索部１７および検索表示部１８は、上記ＣＰＵによる演算制御機能を具体的に示したものに他ならない。また、診療データ記憶部１１、マスタデータ記憶部１２および見積もりデータ記憶部１５は、上記主記憶装置及び補助記憶装置の機能を備えたものである。
【００４０】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００４１】
尚、図１は診療費見積もりシステム１の論理的な機能構成を示しているものであるため、診療費見積もりシステム１が物理的に一つからなる装置の他、診療費見積もりシステム１システム１の各部がネットワーク接続された構成であってもよく、物理的な構成は限定されないものである。例えば、具体的には、診療費見積もりシステム１は、各診療機関ごとにそれぞれ構築される形態が一般的であると考えられるが、診療データ記憶部１１およびマスタデータ記憶部１３を一元的に管理しているＡＳＰ（Application Service Provider）のサーバとその他の各部を備える各診療機関のクライアントがコンピュータネットワークを介して接続されている形態であってもよい。
【００４２】
次に、本実施の形態に係る診療費見積もりシステム１の動作について、図８および図９を用いて説明する。ここで、図８は、診療費見積もりシステム１における集計方法を示すフローチャートであり、図９は、診療費見積もりシステム１における検索方法を示すフローチャートである。
【００４３】
まず、診療費見積もりシステム１における集計方法について説明する。
【００４４】
診療費見積もりシステム１に集計指示パラメータｐ１が与えられると、該集計指示パラメータｐ１に従って、診療費見積もりシステム１は、診療データ記憶部１１の集計対象となる全診療データを取得し、さらにマスタデータ記憶部１２からマスタデータを取得し、患者単位に診療部位、病名および診療行為ごとに診療費、期間および回数を算出する（ステップＳ１０，Ｓ２０，Ｓ３０）。尚、集計指示パラメータｐ１において、オプション機能（診療科別、医師別、年齢別、男女別の集計）を指示した場合には、さらに患者単位に診療部位、病名、診療行為および集計指示パラメータｐ１（オプション機能）ごとに診療費、診療期間および診療回数を算出する。
【００４５】
そして、上述した患者単位の集計を、すべての患者に対して行い、診療データ記憶部１１に記憶された集計対象となる全患者に対しての、診療部位、病名、診療行為ごとに診療費、診療期間、診療回数それぞれの最大、最小および平均を集計し、見積もりデータとして見積もりデータ記憶部１５に記憶する（ステップＳ４０，Ｓ５０，Ｓ６０）。尚、集計指示パラメータｐ１において、オプション機能（診療科別、医師別、年齢別、男女別の集計）を指示した場合には、さらに診療部位、病名、診療行為および集計指示パラメータｐ１（オプション機能）ごとに診療費、診療期間、診療回数それぞれの最大、最小および平均を集計し、見積もりデータとして見積もりデータ記憶部１５に記憶する。
【００４６】
次に、診療費見積もりシステム１の検索方法について説明する。
【００４７】
診療費見積もりシステム１に検索指示パラメータｐ２が与えられると、診療費見積もりシステム１は、検索指示パラメータｐ２に従って見積もりデータ記憶部１５から該当する見積もりデータを取得し、該見積もりデータを表示する（ステップＳ１１０，Ｓ１２０，Ｓ１３０）。
【００４８】
従って、本実施の形態に係る診療費見積もりシステム１によれば、診療費見積もりシステム１に格納された患者の診療データおよびマスタデータを用いて、診療部位、病名および診療行為ごとの診療費、診療期間、診療回数それぞれの最大、最小および平均値を備えた見積もりデータを計算することができるので、患者に処置される診療行為すべてを正確に把握できなくても、診療全体にかかる費用、診療期間および診療回数を的確に見積もって患者に提供することができる。
【００４９】
また、これより細分化された診療部位、病名、診療行為、および診療科、医師、年齢又は男女別の見積もりデータも計算することができるので、より患者のニーズに適合した見積もりデータを提供することができる。
【００５０】
また、上述した見積もり計算に用いるマスタデータは、年月とともに管理されているので、保険の点数や材料費など適宜変更（例えば、半年に１度など）されることがあったとしても、見積もり時期に応じて適宜正確な見積もりを行うことができる。
【００５１】
さらに、診療機関によって診療方針、診療スタッフの人数、使用する機材や材料などは異なってくるので、各診療機関ごとの見積もりデータを比較検討することにより、患者はは最適な診療機関の選択が可能となる。
【００５２】
一方、診療機関にとっても、見積もりデータは、経営上の重要な指針を示すデータとして活用することができる。
【００５３】
以上、本発明の実施の形態について説明してきたが、本発明の要旨を逸脱しない範囲において、本発明の実施の形態に対して種々の変形や変更を施すことができる。例えば、上記実施の形態においては、集計と検索を別々の処理として説明したが、検索利用者（患者）が一連の動作として処理するようにしてもよく、検索時に指示された所定の集計方法で集計をし、該集計の結果の見積もりデータを表示するようにしてもよいのは勿論である。
【図面の簡単な説明】
【００５４】
【図１】本発明の実施の形態に係る診療費見積もりシステムの概略構成図である。
【図２】本発明の実施の形態に係る診療費見積もりシステムにおける診療データを表示する表示画面の一例である。
【図３】本発明の実施の形態に係る実施の形態に係る診療費見積もりシステムにおけるマスタデータを示す図である。
【図４】本発明の実施の形態に係る実施の形態に係る診療費見積もりシステムにおける集計指示画面の一例である。
【図５】本発明の実施の形態に係る実施の形態に係る診療費見積もりシステムにおける見積もりデータの一例を示す図である。
【図６】本発明の実施の形態に係る実施の形態に係る診療費見積もりシステムにおける見積もりデータの一例を示す図である。
【図７】本発明の実施の形態に係る実施の形態に係る診療費見積もりシステムにおける検索画面の一例である。
【図８】本発明の実施の形態に係る実施の形態に係る診療費見積もりシステムの集計方法を示すフローチャートである。
【図９】本発明の実施の形態に係る実施の形態に係る診療費見積もりシステムの検索方法を示すフローチャートである。
【符号の説明】
【００５５】
１  診療費見積もりシステム
１１  診療データ記憶部
１２  マスタデータ記憶部
１３  集計指示部
１４  集計部
１５  見積もりデータ記憶部
１６  検索指示部
１７  検索部
１８  検索表示部
【図１】
2005202686.tif 000003
【図２】
2005202686.tif 000004
【図３】
2005202686.tif 000005
【図４】
2005202686.tif 000006
【図５】
2005202686.tif 000007
【図６】
2005202686.tif 000008
【図７】
2005202686.tif 000009
【図８】
2005202686.tif 000010
【図９】
2005202686.tif 000011